(57)【特許請求の範囲】
【請求項１】
中央底部にパルセータを回転自在に配した有底円筒状の洗濯兼脱水槽と、前記洗濯兼脱水槽を回転自在に内包する水槽と、モータにより駆動される脱水回転軸と、前記脱水回転軸と前記洗濯兼脱水槽底部とを連結支持し、略中央にボス部を有し、前記ボス部に回転軸連結穴部を設けた略円盤状で金属製のフランジと、前記回転軸連結穴部に嵌合させた前記脱水回転軸に形成したねじ部に螺合して前記フランジと前記脱水回転軸とを締結するフランジナットとを備え、前記ボス部の側面には、上部に上部溝部を、下部に下部溝部を形成するとともに、前記フランジは、前記ボス部の外周部外方と、前記上部溝部および下部溝部を前記洗濯兼脱水槽の底部に埋設する洗濯機。
【請求項２】
前記フランジは、前記ボス部の外方に、前記ボス部と同心状に上面溝部を形成した請求項１に記載の洗濯機。
【発明の詳細な説明】
【技術分野】
【０００１】
本発明は洗い、すすぎ、脱水行程を自動制御して行なう洗濯機に関するものである。
【背景技術】
【０００２】
従来、この種の洗濯機は、衣類の撹拌、脱水を行なうための洗濯兼脱水槽の底部に、回転軸からの回転力を伝達するためのフランジが設けられており、そのフランジは洗濯兼脱水槽の底部に複数のネジで締結固定されていた。（例えば、特許文献１参照）。
【０００３】
図４は、特許文献１に記載された従来の洗濯機の縦断面図である。
【０００４】
図４において、水槽２３に回転自在に内包された洗濯兼脱水槽２１の中央内底部に衣類撹拌用のパルセータ２２を回転自在に配し、水槽２３の外底部には、モータ２８や機構駆動部３０が配置された基板２４が固着されている。基板２４の外縁は、外枠２５の上部角隅より防振装置２６を介し吊り下げられている。回転軸２７は、モータ２８の回転力をベルト２９と機構駆動部３０を介して伝えられる。
【０００５】
洗濯兼脱水槽２１の外底部にはフランジ３１が複数のねじ（図示せず）により螺合締結されており、回転軸２７とフランジ３１とをナット３５で締結支持することにより、モータ２８の回転力が洗濯兼脱水槽２１に伝達されるよう構成されている。
【先行技術文献】
【特許文献】
【０００６】
【特許文献１】実開平３−６８８７９号公報
【発明の概要】
【発明が解決しようとする課題】
【０００７】
しかしながら、前記従来の構成では、洗濯兼脱水槽に回転軸の回転を伝達するフランジは、洗濯兼脱水槽の外側底面に複数のねじで螺合締結されているが、フランジは、一般的には、その強度確保からアルミダイカストなどの金属で成形されており所定の厚みを有しているため、水槽内において洗濯兼脱水槽とフランジとの接続には所定の高さスペースが必要となり、水槽の高さ、つまり製品全体の高さを高くしない限りは、洗濯兼脱水槽の容積が小さくなり、洗濯性能に影響を及ぼすという課題があった。
【０００８】
本発明は、前記従来の課題を解決するもので、製品本体の高さを高くすることなく、洗濯兼脱水槽の強度的な信頼性を確保しつつ、洗濯兼脱水槽の容積をより大きく確保して洗濯性能を向上させるという洗濯機を提供することを目的とする。
【課題を解決するための手段】
【０００９】
上記従来の課題を解決するために、本発明の洗濯機は、中央底部にパルセータを回転自在に配した有底円筒状の洗濯兼脱水槽と、前記洗濯兼脱水槽を回転自在に内包する水槽と、モータにより駆動される脱水回転軸と、前記脱水回転軸と前記洗濯兼脱水槽底部とを連結支持し、略中央にボス部を有し、前記ボス部に回転軸連結穴部を設けた略円盤状で金属製のフランジと、前記回転軸連結穴部に嵌合させた前記脱水回転軸に形成したねじ部に螺合して前記フランジと前記脱水回転軸とを締結するフランジナットとを備え、前記ボス部の側面には、上部に上部溝部を、下部に下部溝部を形成するとともに、前記フランジは、前記ボス部の外周部外方と、前記上部溝部および下部溝部を前記洗濯兼脱水槽の底部に埋設する構成としたものである。
【００１０】
これによって、製品本体の高さを高くすることなく、洗濯兼脱水槽の強度的な信頼性を確保しつつ、洗濯兼脱水槽の容積をより大きく確保して洗濯性能を向上させることができる。
【発明の効果】
【００１１】
本発明の洗濯機は、製品本体の高さを高くすることなく、洗濯兼脱水槽の強度的な信頼性を確保しつつ、洗濯兼脱水槽の容積をより大きく確保して洗濯性能を向上させることができる。
【図面の簡単な説明】
【００１２】
【図１】本発明の実施の形態１における洗濯機の縦断面図
【図２】同洗濯機のフランジと洗濯兼脱水槽の構成を示す要部断面図
【図３】本発明の実施の形態２における洗濯機のフランジと洗濯兼脱水槽の構成を示す要部断面図
【図４】従来の洗濯機の縦断面図
【発明を実施するための形態】
【００１３】
第１の発明は、中央底部にパルセータを回転自在に配した有底円筒状の洗濯兼脱水槽と、前記洗濯兼脱水槽を回転自在に内包する水槽と、モータにより駆動される脱水回転軸と、前記脱水回転軸と前記洗濯兼脱水槽底部とを連結支持し、略中央にボス部を有し、前記ボス部に回転軸連結穴部を設けた略円盤状で金属製のフランジと、前記回転軸連結穴部に嵌合させた前記脱水回転軸に形成したねじ部に螺合して前記フランジと前記脱水回転軸とを締結するフランジナットとを備え、前記ボス部の側面には、上部に上部溝部を、下部に下部溝部を形成するとともに、前記フランジは、前記ボス部の外周部外方と、前記上部溝部および下部溝部を前記洗濯兼脱水槽の底部に埋設することにより、製品本体の高さを高くすることなく、洗濯兼脱水槽の強度的な信頼性を確保しつつ、洗濯兼脱水槽の容積をより大きく確保して洗濯性能を向上させることができる。
【００１４】
第２の発明は、特に、第１の発明のフランジは、前記ボス部の外方に、前記ボス部と同心状に上面溝部を形成したことにより、洗濯兼脱水槽の外周方向に対しても、環境温度の変化による合成樹脂の膨張収縮が抑制できて、接合部にクラック等が発生することは無く、強度的な信頼性を向上することができる。
【００１５】
以下、発明の実施の形態について、図面を参照しながら説明する。また、この実施の形態によって本発明が限定されるものではない。
【００１６】
（実施の形態１）
図１は、本発明の実施の形態１における洗濯機の縦断面図、図２は、同洗濯機のフランジと洗濯兼脱水槽の構成を示す要部断面図である。
【００１７】
図１および図２において、水槽４５に回転自在に内包された有底円筒状で合成樹脂製の洗濯兼脱水槽４６の中央底部には、衣類撹拌用のパルセータ４７が回転自在  に配されている。
【００１８】
また、水槽４５の外底部には基板４８が固着され、この基板４８にはモータ４９、排水電磁弁（図示せず）、あるいは、洗濯脱水切換クラッチやブレーキが内蔵された機構駆動部５０等が配設されている。そして、外枠５１の上部角隅より吊り棒５２、防振装置５３を介して基板４８の外縁部が垂下支持  されている。
【００１９】
また、モータ４９の回転力は、冷却フィンを有する駆動プーリ５４、ベルト５５および機構駆動部５０を介して、洗濯兼脱水槽４６およびパルセータ４７に伝達されるようにな
っている。そして、水槽４５の底部には排水弁５６が設けられ、水槽４５内の水は、排水電磁弁（図示せず）によりこの排水弁５６が開閉され、排水ホース５７を通って外部へ排水される。
【００２０】
外枠５１の上部には上部枠体５８が設けられ、その略中央には洗濯物投入口部５９が形成され、その上部には蓋６０が開閉自在に収設されている。
【００２１】
上部枠体５８の後部内方には、給水装置６１が配設されており、給水弁６２、上方より槽内に給水する給水ホース６３より成っている。また、後部には電源スイッチ６４も配設されている。上部枠体５８の前部には、前面カバー６５が設けられ、その内方部には運転行程を制御する制御手段（図示せず）を有する制御部６６が設けられている。
【００２２】
合成樹脂製の洗濯兼脱水槽４６の底部には、略中央にボス部４２を有し略円盤状で金属製のフランジ６７がインサート成形により埋設固定されている。つまりフランジ６７は、ボス部４２の外周部７２の外方が洗濯兼脱水槽４６に埋設固定されている。なお、フランジ６７の外周側には複数の水抜き穴７１が形成されている。
【００２３】
ボス部４２の中心部には、機構駆動部５０の脱水回転軸６８と嵌合、連結する回転軸連結穴部４１が形成されおり、組立時は嵌合してフランジワッシャ６９を挿入後、脱水回転軸６８の先端部に形成されたねじ部にフランジナット７０を螺合して、脱水回転軸６８とフランジ６７が固着される。
【００２４】
また、ボス部４２の側面には、上部に上部溝部４３ａと、下部に下部溝部４３ｂとが形成されており、インサート成形で洗濯兼脱水槽４６の合成樹脂材が充填されている。
【００２５】
また、脱水回転軸６８は回転軸の中心が中空であり、同心的に洗濯回転軸（図示せず）が貫通しており、洗濯回転軸の先端部にパルセータ４７が螺合締結されている。モータ４９の回転力は、機構駆動部５０のクラッチを切り換えることにより、洗い時には洗濯回転軸（図示せず）に伝達されてパルセータ４７が回転し、脱水時には脱水回転軸６８に伝達されて洗濯兼脱水槽４６が回転する。
【００２６】
以上のように構成された洗濯機において、以下その動作、作用を説明する。
【００２７】
合成樹脂製の洗濯兼脱水槽４６と脱水回転軸６８を連結支持するフランジ６７を、インサート成形により、洗濯兼脱水槽４６の底部に埋設固定したことにより、洗濯兼脱水槽４６下部の有効スペースが増え、その有効スペースを使うことで、製品本体を高くしなくても、つまり水槽４５を高くしなくても、洗濯兼脱水槽４６の内容積を増やすことができ、洗濯性能を向上させることができる。
【００２８】
また、洗濯機が設置された場所の環境温度の変化によって、あるいは、温水を使用することによって、洗濯兼脱水槽４６の合成樹脂が膨張収縮しても、フランジ６７略中央のボス部４２側面の円周方向に設けた上部溝部４３ａと下部溝部４３ｂとに合成樹脂材が充填されていることにより、合成樹脂である洗濯兼脱水槽４６と金属であるフランジ６７の膨張率に差があっても、溝部によって膨張率の大きい合成樹脂の動きが抑制されて、接合部にクラック等が発生することは無く、強度的な信頼性を確保することができる。
【００２９】
以上のように、本実施の形態１においては、脱水回転軸６８と洗濯兼脱水槽４６とを連結支持するフランジ６７を、インサート成形により洗濯兼脱水槽４６底部に埋設させるとともに、フランジ６７略中央のボス部４２側面に形成した上部溝部４３ａと下部溝部４３ｂに洗濯兼脱水槽４６の合成樹脂材を充填させることにより、製品本体の高さを高くする
ことなく、洗濯兼脱水槽４６の強度的な信頼性を確保しつつ、洗濯兼脱水槽４６の容積をより大きく確保して洗濯性能を向上させることができる。
【００３０】
（実施の形態２）
図３は、本発明の実施の形態２のフランジと洗濯兼脱水槽の構成を示す要部断面図である。図３において、実施の形態１と同一符号は、実施の形態１と同じであり、また、フランジと洗濯兼脱水槽の構成以外は、実施の形態１と同じである。
【００３１】
図３において、合成樹脂製の洗濯兼脱水槽４６の底部には、略中央にボス部４２を有し略円盤状で金属製のフランジ６７がインサート成形により埋設固定されている。つまりフランジ６７は、ボス部４２以外の外周部分が洗濯兼脱水槽４６に埋設固定されている。
【００３２】
また、ボス部４２の側面には、上部に上部溝部４３ａと、下部に下部溝部４３ｂとが形成され、ボス部４２外方には、上面溝部４４が回転軸連結穴部４１と同心状に形成されており、インサート成形で洗濯兼脱水槽４６の合成樹脂材が充填されている。
【００３３】
以上のように、本実施の形態２においては、フランジ６７略中央のボス部４２の外方に、ボス部４２と同心状に上面溝部４４を形成し、その上面溝部４４にインサート成形により洗濯兼脱水槽４６の合成樹脂材を充填させることにより、洗濯兼脱水槽４６の外周方向に対しても、環境温度の変化による合成樹脂の膨張収縮が抑制できて、接合部にクラック等が発生することは無く、強度的な信頼性を向上することができる。
【産業上の利用可能性】
【００３４】
以上のように、本発明にかかる洗濯機は、洗濯槽兼脱水槽の強度的な信頼性を確保しつつ、洗濯兼脱水槽の容量を増し、洗浄性能の向上も可能となるので、洗浄性能を重視される他の洗濯機等の用途に適用できる。
【符号の説明】
【００３５】
４２  ボス部
４３ａ  上部溝部
４３ｂ  下部溝部
４４  上面溝部
４５  水槽
４６  洗濯兼脱水槽
４７  パルセータ
４８  基板
４９  モータ
５１  外枠
５３  防振装置
６７  フランジ
６８  脱水回転軸
７０  フランジナット
７２  外周部
【図１】
0005753979.tif 000002
【図２】
0005753979.tif 000003
【図３】
0005753979.tif 000004
【図４】
0005753979.tif 000005